(57)【要約】【課題】大きさや形状が異なる複数のカタログを、開孔部を利用して綴じ込む場合に、見開きのカタログを開くことを考慮して多少のスペースを持たせて綴じられるようにした上で、必要に応じてカタログの脱着が容易であることまでを考慮した使い勝手に優れたカタログ収納具及び綴具を提供する。【解決手段】一枚の紙状物を二つ折りにした際に生じる直線状の折曲部１１によって折り曲げ可能であって、カタログを収納可能な形状の保護部材１の折曲部１１の上端側に、折曲部１１を中心として左右の対称位置に各１個ずつ合計２つの開孔部１２を設け、該２つの開孔部１２に、開孔部１２を利用して綴じ込む場合に、見開きのカタログを開くことを考慮して多少のスペースを持たせて綴じられるように考慮した綴具２を組み合わせた。【選択図】  図１
2004155171.tif 000002
【特許請求の範囲】
【請求項１】
折曲部によって折り曲げ可能であって、カタログを収納可能な形状の保護部材の折曲部付近の上端側に、開孔部を設け、該開孔部に綴具を組み合わせた、カタログ収納具。
【請求項２】
前記綴具が、紐状の本体の一端に、開孔部より大きな寸法を有する抜防止材を設けると共に、他端側に、通常は開孔部より大きな寸法を有するが圧によって開孔部を通り抜けできるように変形可能な輪状の先端部材を設けたものである、請求項１に記載のカタログ収納具。
【請求項３】
前記綴具が、細長状の本体の先端側に、切込部を有すると共に、他端側に、輪状部材を設けたものである、請求項１に記載のカタログ収納具。
【請求項４】
紐状の本体の一端に、開孔部より大きな寸法を有する抜防止材を設けると共に、他端側に、通常は開孔部より大きな寸法を有するが圧によって開孔部を通り抜けできるように変形可能な輪状の先端部材を設けた、綴具。
【請求項５】
細長状の本体の先端側に、切込部を有すると共に、他端側に、輪状部材を設けた、綴具。
【請求項６】
請求項１に記載のカタログ収納具に、複数のカタログを収納し、該複数のカタログを収納したカタログ収納具を、各家庭に配布することを特徴とする、カタログ配布方法。
【発明の詳細な説明】
【０００１】
【発明が属する技術分野】
【０００２】
本発明はカタログ収納具に関し、特に、出前のメニューやピザの宅配のメニュー等のカタログの収納に適したカタログ収納具に関する。
【０００３】
【従来の技術】
【０００４】
従来より、出前のメニューやピザの宅配のメニュー等のカタログが、個別にポストに投函されていることはあるが、不要だと思われて、そのまま廃棄されてしまう場合が多かった。
また、複数のメニューを保存しておく場合であっても、一般的にはバラバラに保存されていることが多く、必要な時に、必要なメニューを探しだすことが困難であった。
【０００５】
一般に、メニューの大きさや形状は、各店舗によって大きく異なり、一枚の紙のものや二つ折りのもの等、種々のものが存在している。
そのため、従来、このような大きさや形状が異なる複数のカタログを収納するのに適したカタログ収納具は、存在しなかった。
【０００６】
さらに、このような複数のカタログを綴じるための綴具として、適したものは存在しなかった。
【０００７】
すなわち、大きさや形状が異なる複数のカタログを、開孔部を利用して綴じ込む場合に、見開きのカタログを開くことを考慮して多少のスペースを持たせて綴じられるようにした上で、必要に応じてカタログの脱着が容易であることまでを考慮したカタログ収納具及び綴具は存在していなかった。
【０００８】
【発明が解決しようとする課題】
【０００９】
従って、本発明の解決しようとする課題は、大きさや形状が異なる複数のカタログを、開孔部を利用して綴じ込む場合に、見開きのカタログを開くことを考慮して多少のスペースを持たせて綴じられるようにした上で、必要に応じてカタログの脱着が容易であることまでを考慮した使い勝手に優れたカタログ収納具及び綴具を提供することにある。
【００１０】
【課題を解決するための手段】
【００１１】
本発明の課題を解決するための手段は、下記の通りである。
【００１２】
第１に、折曲部によって折り曲げ可能であって、カタログを収納可能な形状の保護部材の折曲部付近の上端側に、折曲部を中心として左右の対称位置に各１個ずつ合計２つの開孔部を設け、該２つの開孔部を利用して綴じ込む場合に、見開きのカタログを開くことを考慮して多少のスペースを持たせて綴じられるように考慮した綴具を組み合わせた、カタログ収納具。
第２に、前記綴具が、紐状の本体の一端に、開孔部より大きな寸法を有する抜防止材を設けると共に、他端側に、通常は開孔部より大きな寸法を有するが圧によって開孔部を通り抜けできるように変形可能な輪状の先端部材を設けたものである、上記第１に記載のカタログ収納具。
第３に、前記綴具が、細長薄片状の本体の先端側に切込部を有すると共に、他端側に、輪状部材を設けたものである、上記第１に記載のカタログ収納具。
第４に、摩擦係数が少ない材質のもので円形断面を有するように紐状に加工した紐状の本体の一端に、開孔部より大きな寸法を有する抜防止材を設けると共に、他端側に、通常は開孔部より大きな寸法を有するが圧によって開孔部を通り抜けできるように変形可能な輪状の先端部材を設けた、綴具。
第５に、細長薄片状の本体の先端側に切込部を有すると共に、他端側に、輪状部材を設けた、綴具。
第６に、上記第１に記載のカタログ収納具に、複数のカタログを収納し、該複数のカタログを収納したカタログ収納具を、各家庭に配布することを特徴とする、カタログ配布方法。
【００１３】
本発明に係るカタログ収納具の折曲部としては、一枚の紙状物を二つ折りにし、上から見てＶ字状にした際に生じる直線状の形態の他に、一枚の紙状物の折れ目が付かないように折り曲げ、上から見てＵ字状にした際に生じる曲面状の形態のものを含む。
また、２枚の紙状物の端部に背表紙状のものを取り付け、一枚の紙状物を二つ折にしたような形態にする場合には、背表紙状の部分が、本発明に係るカタログ収納具の折曲部に相当する。
【００１４】
本発明に係るカタログを収納可能な形状の保護部材とは、折曲部によって折り曲げられた状態で、カタログを間に挟み込むようにして収納可能な大きさを有するものであればよく、ポリプロピレン、ポリエチレン、硬質ビニール等の折り曲げ可能であって、耐水性を有する材質のもので形成するのが好ましい。
【００１５】
本発明に係る綴具としては、ポリプロピレン等のある程度の形状保持が可能な素材を用い、脱着可能な両端部を設けて全体を輪状にしたものを採用できる他に、紐状本体の一端に開孔部より大きな寸法を有する抜防止材を設けると共に、他端側に、通常は開孔部より大きな寸法を有するが圧によって開孔部を通り抜けできるように変形可能な輪状の先端部材を設けたもの等を採用できる。
【００１６】
また、該綴具の一端を保護部材と一体に設けることもでき、この場合には、保護部材の折曲部付近の上端側の１箇所に開孔部を設けて、綴具の他端側に輪状の先端部材を設けることで、本発明のカタログ収納具を作成できる。
【００１７】
本発明に係る綴具の紐状本体は、ある程度の変形が可能なものであればよいが、特に、ポリプロピレン等の木綿の紐などよりも摩擦係数が少ない材質のもので円形断面を有するように紐状に加工したものが好ましい。
これは、本発明に係る綴具が、見開きのカタログを開くことを考慮して多少のスペースを持たせて綴じられるようにするので、使用中にカタログの開孔部と紐状本体が擦れることで、紐状本体でカタログの開孔部を損傷すること防止するためである。
【００１８】
本発明に係る綴具の抜防止材は、保護部材やカタログの開孔部から抜けないように、開孔部より大きな寸法を有するものであればよく、円板状、正方形状等の平板状のものほかに、円球状、立方体状、突起状等の立体状のものにより形成できる。
【００１９】
本発明に係る綴具の先端部材は、紐状のポリプロピレンを開孔部より大きな寸法の輪状にすることで形成できるが、輪の形状は、丸型、楕円型、三角型、四角型等の各種の形状を採用でき、輪自体は必ず閉塞している必要はない。
ここで、先端部材を輪状にすることで、輪の内側は空間なので、手の指で輪をつぶすように圧をかけた場合に、容易に開孔部を通り抜けできるように変形させることが可能となり、カタログの脱着も容易となる。
さらに、輪状の先端部材は、カタログ収納具を吊り下げて保存することを可能にする。
特に、吊り下げて保存した場合には、より人目につきやすくなり、必要な際にカタログ収納具自体を探す手間を省くことができる。
加えて、輪状の先端部材は、開孔部より大きな寸法なので、通常は開孔部に対して抜け止め防止機能を発揮している。
【００２０】
なお、先端部材も通常は開孔部より大きな寸法を有しているので、抜防止材として利用することもでき、この場合には、紐状本体の両端に輪状の先端部材を取り付けたものが、本発明に係る綴具として利用できる。
【００２１】
本発明に係る綴具として、細長薄片状の本体の先端側に、切込部を有すると共に、他端側に、輪状部材を設けたものも採用できるが、この場合には、切込部に通した輪状部材を利用して、カタログ収納具を吊り下げて保存することで、抜止防止材を不要なものとすることができる。
ここでも、輪の形状は、丸型、楕円型、三角型、四角型等の各種の形状を採用でき、輪自体は必ず閉塞している必要はない。
【００２２】
上記のカタログ収納具に、各地域における複数の店舗のメニューであるカタログを収納し、該複数のカタログを収納したカタログ収納具を、各家庭に配布することにより、各家庭では、そのまま保存するだけで複数の店舗のメニューを必要な時に確認できるので、不要だと思われて、そのまま廃棄される恐れが少なくなる。
また、個々のカタログを個別に配布するよりも、配布側の労力を節約することができ、配布効率を高めることができる。
【００２３】
【実施例】
【００２４】
以下に、図面を参照しながら、本発明の一実施例について説明する。
【００２５】
図１は、本発明に係るカタログ収納具の一実施例の説明図である。
図２は、本発明に係る綴具の一実施例の説明図である。
図３は、本発明に係る綴具の他の一実施例の説明図である。
【００２６】
【実施例１】
【００２７】
本実施例のカタログ収納具は、一枚の紙状物を二つ折りにした際に生じる直線状の折曲部１１によって折り曲げ可能であって、カタログを収納可能な形状の保護部材１の折曲部１１の上端側に、折曲部１１を中心として左右の対称位置に各１個ずつ合計２つの開孔部１２を設け、該２つの開孔部１２に、開孔部１２を利用して綴じ込む場合に、見開きのカタログを開くことを考慮して多少のスペースを持たせて綴じられるように考慮した綴具２を組み合わせたものである。
【００２８】
該保護部材１は、折曲部１１によって折り曲げられた状態で、カタログを間に挟み込むようにして収納可能な大きさを有するシート状のポリプロピレンを加工したもので形成されている。
【００２９】
綴具２は、ポリプロピレンを円形断面を有するように紐状に加工した紐状本体２１の一端に、開孔部１２より大きな寸法を有する抜防止材２２を設けると共に、他端側に、通常は開孔部１２より大きな寸法を有するが圧によって開孔部１２を通り抜けできるように変形可能な輪状の先端部材２３を設けたものである。
【００３０】
該抜防止材２２は、ポリプロピレンを、開孔部１２から抜けないように、開孔部１２より大きな直径を有する円板状に形成したものである。
【００３１】
また、先端部材２３は、紐状のポリプロピレンを開孔部１２より大きな寸法の三角型に形成したものであり、底辺部分２３ａがストッパーの役割を果たし、先端部分２３ｂを円弧状に形成することで、先端部材２３を介してカタログ収納具を吊り下げやすくなる。
【００３２】
次に、上記のカタログ収納具の使用法について説明する。
【００３３】
まず、出前のメニューやピザの宅配のメニュー等のサイズが異なる複数のカタログの折曲部付近の上端側に、保護部材１と同様に開孔部を設ける。
そして、開孔部を設けたカタログを、保護部材１に挟み込み、一方の開孔部１２から他方の開孔部１２に向けて綴具２の先端部材２３を通す。
この際、綴具２の先端部材２３を手の指で輪をつぶすように圧をかけると、先端部材２３は、容易に開孔部１２を通り抜けできるように変形させることができる。
【００３４】
このようにして複数のカタログを収納したカタログ収納具は、該カタログ収納具自体を１００冊程度重ねても、綴具２自体が変形するので、綴具２が邪魔になることなく積み重ねることができ、各家庭への配達に適した形態とすることが可能となる。
そして、該複数のカタログを収納したカタログ収納具を、まとめた状態で輸送しつつ、各家庭に配布することにより、各家庭では、そのまま保存するだけで複数の店舗のメニューを必要な時に確認できるので、不要だと思われて、そのまま廃棄されて恐れが少なくなる。
また、個々のカタログを個別に配布するよりも、配布側の労力を節約することができ、配布効率を高めることができることに加え、ポストに投函する他にも、ドアに吊り下げることでの配布も可能になる。
【００３５】
該複数のカタログを収納したカタログ収納具を受け取った家庭では、必要により、カタログを追加したり、不要なカタログを除くことも、綴具２の先端部材２３を手の指で輪をつぶすように圧をかけて開孔部１２を通り抜けできるように変形させることが容易にできるので、気軽に行うことできる。
【００３６】
そして、各家庭において、輪状の先端部材２３を介してカタログ収納具を吊り下げて保存することで、より人目につきやすくなり、必要な際にカタログ収納具自体を探す手間を省くことができる。
【００３７】
必要なカタログを閲覧する場合には、見開きのカタログを開くことを考慮して多少のスペースを持たせてカタログが綴じられているので、カタログに設けた開孔部に損傷を与えることなく閲覧が可能になる。
【００３８】
【実施例２】
【００３９】
本実施例の綴具３は、上記実施例１の綴具２と同様に保護部材１と組み合わせることで、カタログ収納具として使用するものである。
【００４０】
該綴具３は、開孔部１２を通すことが可能な寸法のポリプロピレンによる細長薄片状本体３１の先端側に、切込部３２を有するものである。
また、該綴具３の他端側には、カタログ収納具を吊り下げるための輪状部材３３が設けられている。
【００４１】
なお、該綴具３や前記綴具２自体を、単独で使用することも可能である。
【００４２】
この綴具３を単独で使用する場合には、図示は省略するが、書類等の綴じる対象物の上端側に開孔部を設け、該開孔部に細長薄片状本体３１の先端側を通す。
【００４３】
そして、輪状部材３３を切込部３２に通して反対側から引っ張ることで、書類が綴具３で綴じられる。
【００４４】
綴じた後は、輪状部材３３をフック等に引っ掛けておくことで、書類を吊り下げ状態で保存できる。
【００４５】
吊り下げ状態で書類の縦覧をすることで、抜防止材がなくても、書類が綴具３から脱落することはない。
【００４６】
【発明の効果】
【００４７】
本発明によれば、複数のカタログを、開孔部を利用して綴じ込む場合に、見開きのカタログを開くことを考慮して多少のスペースを持たせて綴じられるようにした上で、必要に応じてカタログの脱着を容易に行うことができ、使い勝手に優れている。
【図面の簡単な説明】
【図１】本発明に係るカタログ収納具の一実施例の説明図である。
【図２】本発明に係る綴具の一実施例の説明図である。
【図３】本発明に係る綴具の他の一実施例の説明図である。
【符号の説明】
１  保護部材
２  綴具
３  綴具
１１  折曲部
１２  開孔部
２１  紐状本体
２２  抜防止材
２３  先端部材
３１  細長薄片状本体
３２  切込部
３３  輪状部材
【図１】
2004155171.tif 000003
【図２】
2004155171.tif 000004
【図３】
2004155171.tif 000005